(57)【要約】【課題】鋳造により形成された金型用の鋳物原型に形成された移動用のフックを容易に切断するフック切断機を提供する。【解決手段】本発明のフック切断機は、エンドレスの帯鋸刃１１が駆動ローラ１２とガイドローラ１３ａ、１３ｂとに掛けられ、駆動モータ１５により駆動ローラ１２が回動するとき駆動ローラ１２とガイドローラ１３ａ、１３ｂの外周にそってエンドレスの帯鋸刃１１が移動する帯鋸ユニット１０と、金型用の鋳物原型８０に形成された移動用のフック８１の切断を行うとき、金型用の鋳物原型８０に固定され、エンドレスの帯鋸刃１１による移動用のフック８１の切断の方向に帯鋸ユニット１０を回動する回動駆動機構２０とを備えることとした。【選択図】図１
2010089224.tif 000002
【特許請求の範囲】
【請求項１】
エンドレスの帯鋸刃が駆動ローラとガイドローラとに掛けられ、駆動モータにより前記駆動ローラが回動するとき前記駆動ローラと前記ガイドローラの外周にそって前記エンドレスの帯鋸刃が移動する帯鋸ユニットと、金型用の鋳物原型に形成された移動用のフックの切断を行うとき、前記金型用の鋳物原型に固定され、前記エンドレスの帯鋸刃による前記移動用のフックの切断の方向に前記帯鋸ユニットを回動する回動駆動機構とを備えたことを特徴とするフック切断機。
【請求項２】
前記回動駆動機構は、電磁式のマグネットが取り付けられ、前記電磁式のマグネットにより前記金型用の鋳物原型に固定することを特徴とする請求項１に記載のフック切断機。
【請求項３】
前記帯鋸ユニットと前記回動駆動機構とが連結部により吊下げられる吊下機構を設け、前記帯鋸ユニットと前記回動駆動機構との傾斜を変更して吊下げることを特徴とする請求項１に記載のフック切断機。
【請求項４】
水平アームと垂直アームとで形成されるＬ型アームにより前記フック切断機を吊下げて移動する切断機移動装置を設け、前記垂直アームに対して前記水平アームを水平方向に回転自在とし、前記フック切断機を吊下げる吊下フックを前記水平アームにそってスライド自在に装着することを特徴とする請求項１に記載のフック切断機。
【発明の詳細な説明】
【技術分野】
【０００１】
本発明は、鋳造により形成された金型用の鋳物原型に形成された移動用のフックを容易に切断するフック切断機に関する。
【背景技術】
【０００２】
樹脂成形用やプレス用の金型などは、鋳造により金型用の鋳物原型が形成され、樹脂成形用の場合には成形面を研磨するなどの仕上げ作業を行い、プレス用の場合にはプレス面を研磨するなどの仕上げ作業を行い、製造されている（例えば、特許文献１参照）。
【０００３】
鋳造により形成された金型用の鋳物原型は、鋳造されたあとに研磨などの仕上げ作業を行うために移動を行わなければならないため、移動用のフックが形成されている。この移動用のフックは、金型用の鋳物原型の大きさに応じ大型になっており、樹脂成形用やプレス用の金型により製造を行うときや、移動を行った後には切断が行われている。移動用のフックの切断は、金属用の鋸刃により切断を行っていたため、多大の工数を必要としていた。
【特許文献１】特開２００３−２７６０２９号公報
【発明の開示】
【発明が解決しようとする課題】
【０００４】
本発明は、上記の問題に鑑みてなされたものであって、鋳造により形成された金型用の鋳物原型に形成された移動用のフックを容易に切断するフック切断機を提供することを目的とする。
【課題を解決するための手段】
【０００５】
本発明のフック切断機は、エンドレスの帯鋸刃が駆動ローラとガイドローラとに掛けられ、駆動モータにより前記駆動ローラが回動するとき前記駆動ローラと前記ガイドローラの外周にそって前記エンドレスの帯鋸刃が移動する帯鋸ユニットと、金型用の鋳物原型に形成された移動用のフックの切断を行うとき、前記金型用の鋳物原型に固定され、前記エンドレスの帯鋸刃による前記移動用のフックの切断の方向に前記帯鋸ユニットを回動する回動駆動機構とを備えることとした。
【０００６】
また、前記回動駆動機構は、電磁式のマグネットが取り付けられ、前記電磁式のマグネットにより前記金型用の鋳物原型に固定することとした。
【０００７】
また、前記帯鋸ユニットと前記回動駆動機構とが連結部により吊下げられる吊下機構を設け、前記帯鋸ユニットと前記回動駆動機構との傾斜を変更して吊下げることとした。
【０００８】
さらに、水平アームと垂直アームとで形成されるＬ型アームにより前記フック切断機を吊下げて移動する切断機移動装置を設け、前記垂直アームに対して前記水平アームを水平方向に回転自在とし、前記フック切断機を吊下げる吊下フックを前記水平アームにそってスライド自在に装着することとした。
【発明の効果】
【０００９】
本発明のフック切断機は、エンドレスの帯鋸刃が駆動ローラとガイドローラとに掛けられ、駆動モータにより前記駆動ローラが回動するとき前記駆動ローラと前記ガイドローラの外周にそって前記エンドレスの帯鋸刃が移動する帯鋸ユニットと、金型用の鋳物原型に形成された移動用のフックの切断を行うとき、前記金型用の鋳物原型に固定され、前記エンドレスの帯鋸刃による前記移動用のフックの切断の方向に前記帯鋸ユニットを回動する回動駆動機構とを備えることとしたため、帯鋸ユニットに設けられたエンドレスの帯鋸刃を円滑に移動させるとともに、帯鋸ユニットを回動させて移動用のフックに的確に当接させ、金型用の鋳物原型に形成された移動用のフックの切断を的確容易に行うことができる。
【００１０】
また、前記回動駆動機構は、電磁式のマグネットが取り付けられ、前記電磁式のマグネットにより前記金型用の鋳物原型に固定することとしたため、電磁式のマグネットへの通電により金型用の鋳物原型に容易に固定することができ、移動用のフック切断を的確容易に行うことができる。
【００１１】
また、前記帯鋸ユニットと前記回動駆動機構とが連結部により吊下げられる吊下機構を設け、前記帯鋸ユニットと前記回動駆動機構との傾斜を変更して吊下げることとしたため、金型用の鋳物原型の側面に設けられた移動用のフックの切断や、金型用の鋳物原型の斜面に設けられた移動用のフックの切断も的確容易に行うことができる。
【００１２】
さらに、水平アームと垂直アームとで形成されるＬ型アームにより前記フック切断機を吊下げて移動する切断機移動装置を設け、前記垂直アームに対して前記水平アームを水平方向に回転自在とし、前記フック切断機を吊下げる吊下フックを前記水平アームにそってスライド自在に装着することとしたため、フック切断機を水平に移動させることができ、また、Ｌ型アーム５１の回転方向にも移動させることができ、金型用の鋳物原型に容易にセットすることができる。
【発明を実施するための最良の形態】
【００１３】
以下、本発明の実施の形態のフック切断機につき説明する。
【実施例１】
【００１４】
図１は、本発明の第１の実施の形態のフック切断機の斜視図を示し、図５は、金型用の鋳物原型の斜視図を示す。
【００１５】
図１に示すように、本発明の第１の実施の形態のフック切断機１は、帯鋸ユニット１０と、回動駆動機構２０と、吊下機構３０とで構成されている。
【００１６】
帯鋸ユニット１０は、ユニットケース１４の内側に駆動ローラ１２とガイドローラ１３ａ、１３ｂとが設けられ、エンドレスの帯鋸刃１１が駆動ローラ１２とガイドローラ１３ａ、１３ｂとに掛けられ、駆動ローラ１２が回動するとき駆動ローラ１２とガイドローラ１３ａ、１３ｂの外周にそってエンドレスの帯鋸刃１１が移動する構成となっている。
【００１７】
また、回動駆動機構２０は、図５に示す金型用の鋳物原型８０に形成された移動用のフック８１の切断を行うとき、金型用の鋳物原型８０に電磁式のマグネット２２により固定され、回動用の駆動モータ２１により、エンドレスの帯鋸刃１１による移動用のフック８１の切断の方向に帯鋸ユニット１０を電磁式のマグネット２２を中心として回動する構成となっている。
【００１８】
円柱形状の電磁式のマグネット２２の中心には、円筒形状のシャフト２４ａが垂直方向に固定され、シャフト２４ａには回動用の駆動モータ２１のシャフト２４ｂが上下にスライド可能で回転不可の状態で挿入されている。取付板２３ａは、ユニットケース１４の側面上方に固定され、また、回動用の駆動モータ２１が固定され、回動用の駆動モータ２１のシャフト２４ｂが貫通して下方に延び、シャフト２４ａに上下にスライド可能で回転不可の状態で挿入されている。取付板２３ｂは、シャフト２４ａに上下にスライド不可で回転可能の状態で取り付けられ、ユニットケース１４の側面中程に固定されている。取付板２３ｃは、シャフト２４ａに上下にスライド可能で回転可能の状態で取り付けられ、ユニットケース１４の側面下方に固定されている。取付板２３ａと取付板２３ｃとは、ユニットケース１４の反対側で固定板２６により互いに固定され、高さ調整シャフト２５ａが上下にスライド不可で回転可能の状態に取り付けられ、高さ調整シャフト２５ａの上端には高さ調整つまみ２５ｂが固定されている。
【００１９】
さらに、高さ調整シャフト２５ａは、中程に形成されたねじ溝２５ｃが取付板２３ｂに形成されたねじ溝（図示せず）と螺着して、取付板２３ｂを貫通している。そのため、高さ調整つまみ２５ｂを回すことにより、取付板２３ｂは上下方向に移動しないが、取付板２３ａと取付板２３ｃとは上下方向に移動し、取付板２３ａと取付板２３ｃとに固定されている帯鋸ユニット１０の上下方向の高さ調整を行うことができる。
【００２０】
また、電磁式のマグネット２２は、通電により図５に示す金型用の鋳物原型８０に固定することができ、金型用の鋳物原型８０に固定されたとき、回動用の駆動モータ２１を駆動することにより、取付板２３ａ、２３ｂ、２３ｃが回動し、帯鋸ユニット１０を回動することができる。
【００２１】
吊下機構３０は、フック切断機１の移動を行うためのもので、帯鋸ユニット１０と回動駆動機構２０とに取付けられている。吊下機構３０は、Ｕ字型の吊下帯状部３１と、吊下帯状部３１を吊下げるリンク形状の吊部３２と、吊下帯状部３１の一方の端部で帯鋸ユニット１０に連結し、他方の端部で回動駆動機構２０に連結する連結部３３とにより構成され、帯鋸ユニット１０と回動駆動機構２０とを吊下げることができる。
【００２２】
図２は、本発明の第１の実施の形態のフック切断機の正面図を示し、図３は、本発明の第１の実施の形態のフック切断機の裏面図を示す。
【００２３】
図２の帯鋸ユニット１０は、ユニットケース１４の正面を開口した図を示し、ユニットケース１４の内側に２個のガイドローラ１３ａ、１３ｂが並行に設けられ、駆動ローラ１２がガイドローラ１３ａ、１３ｂの上方の中央位置に設けられ、エンドレスの帯鋸刃１１が駆動ローラ１２とガイドローラ１３ａ、１３ｂとに掛けられている。エンドレスの帯鋸刃１１は、図３に示す帯鋸ユニット１０の裏面に設けられた駆動モータ１５により駆動ローラ１２が回動するとき、駆動ローラ１２とガイドローラ１３ａ、１３ｂの外周にそって移動する。
【００２４】
回動駆動機構２０は、図１で説明したごとく、電磁式のマグネット２２に通電し金型用の鋳物原型８０に固定したとき、回動用の駆動モータ２１を駆動することにより、取付板２３ａ、２３ｂ、２３ｃが回動し、帯鋸ユニット１０を水平方向に回動することができる。また、高さ調整つまみ２５ｂを回すことにより、取付板２３ｂは上下方向に移動しないが、取付板２３ａと取付板２３ｃとは上下方向に移動し、取付板２３ａと取付板２３ｃとに固定されている帯鋸ユニット１０の上下方向の高さ調整を行うことができる。
【００２５】
帯鋸ユニット１０と回動駆動機構２０とは、連結部３３により連結する吊下機構３０に連結されている。連結部３３は、蝶ネジ３３ａにより、帯鋸ユニット１０とＵ字型の吊下帯状部３１との連結と、回動駆動機構２０とＵ字型の吊下帯状部３１との連結をするものであり、蝶ネジ３３ａを緩め固定することにより、帯鋸ユニット１０と回動駆動機構２０とを、垂直方向や、水平方向や、任意の傾斜方向に吊下げることができる。
【００２６】
金型用の鋳物原型８０の上面に設けられた移動用のフック８１の切断を行うときには、金型用の鋳物原型８０に形成された移動用のフック８１の側面の根元に帯鋸ユニット１０のエンドレスの帯鋸刃１１が当接する位置に電磁式のマグネット２２に通電してフック切断機１を垂直方向に固定する。このとき、高さ調整つまみ２５ｂを回すことにより、取付板２３ａと取付板２３ｃとは上下方向に移動し、帯鋸ユニット１０の上下方向の高さ調整を行うことができる。
【００２７】
次に、駆動ローラ１２とガイドローラ１３ａ、１３ｂとに掛けられた帯鋸ユニット１０のエンドレスの帯鋸刃１１は、駆動ローラ１２を回動させることにより、駆動ローラ１２とガイドローラ１３ａ、１３ｂの外周にそって移動するとともに、回動駆動機構２０の回動用の駆動モータ２１を駆動することにより、帯鋸ユニット１０が回動し、エンドレスの帯鋸刃１１が移動用のフック８１に押し当てられながら移動し、切断が行われる。
【００２８】
また、金型用の鋳物原型８０の側面に設けられた移動用のフック８１の切断を行うときには、帯鋸ユニット１０と回動駆動機構２０とを連結部３３により吊下機構３０に水平方向に吊下げ、金型用の鋳物原型８０の側面に水平に設けられた移動用のフック８１の根元に帯鋸ユニット１０のエンドレスの帯鋸刃１１が当接する位置に電磁式のマグネット２２に通電してフック切断機１を水平方向に固定する。このとき、高さ調整つまみ２５ｂを回すことにより、取付板２３ａと取付板２３ｃとは移動し、帯鋸ユニット１０の水平方向への高さ調整を行うことができる。
【００２９】
駆動ローラ１２とガイドローラ１３ａ、１３ｂとに掛けられた帯鋸ユニット１０のエンドレスの帯鋸刃１１は、駆動ローラ１２を回動させることにより、駆動ローラ１２とガイドローラ１３ａ、１３ｂの外周にそって移動するとともに、回動駆動機構２０の回動用の駆動モータ２１を駆動することにより、帯鋸ユニット１０が回動し、エンドレスの帯鋸刃１１が移動用のフック８１に押し当てられながら移動し、切断が行われる。
【００３０】
さらに、金型用の鋳物原型８０の傾斜面に設けられた移動用のフックの切断を行うときにも、同様にして切断を行うことができる。
【００３１】
以上、本発明の第１の実施の形態のフック切断機は、帯鋸ユニットに設けられたエンドレスの帯鋸刃が移動するとともに、帯鋸ユニットを回動させ、金型用の鋳物原型に形成された移動用のフックの切断を的確容易に行うことができる。
【００３２】
また、本発明の第１の実施の形態のフック切断機は、回動駆動機構に電磁式のマグネットが取り付けられ、電磁式のマグネットにより金型用の鋳物原型に容易に固定することができ、帯鋸ユニットを円滑に回動させて移動用のフックに帯鋸刃を当接させ切断を的確容易に行うことができる。
【００３３】
さらに、帯鋸ユニットと前記回動駆動機構とが吊下げられる吊下機構を設け、帯鋸ユニットと回動駆動機構との傾斜を変更して吊下げることができるため、金型用の鋳物原型の側面に設けられた移動用のフックの切断や、金型用の鋳物原型の斜面に設けられた移動用のフックの切断も的確容易に行うことができる。
【実施例２】
【００３４】
図４は、本発明の第１の実施の形態のフック切断機に使用する切断機移動装置の斜視図を示す。
【００３５】
図４に示すように、切断機移動装置２は、水平アーム５１ａと垂直アーム５１ｂとで形成されるＬ型アーム５１により図１に示すフック切断機１を吊下げて移動し金型用の鋳物原型にセットするものである。Ｌ型アーム５１の水平アーム５１ａの下側にはガイドレール５２ａが平行に設置され、ガイドレール５２ａにはスライダ５２ｂがスライド可能に設けられ、スライダ５２ｂに吊下フック５６が吊下げられている。
【００３６】
吊下フック５６には、図１に示すフック切断機１の吊部３２が掛けられ、フック切断機１は、Ｌ型アーム５１に吊下げられて、Ｌ型アーム５１の水平アーム５１ａの下側に沿って水平にスライド自在に移動することができる。
【００３７】
Ｌ型アーム５１の垂直アーム５１ｂは、取付板５３を介し旋回ローラブラケット５４ｂに回転自在に取り付けられた旋回ローラ５４ａと垂直方向で平行に取付けられているため、Ｌ型アーム５１を矢印Ｒ、Ｌに示すように垂直アーム５１ｂに対し回転自在とすることができ、吊下げられたフック切断機１をＬ型アーム５１の回転方向に移動させることができる。
【００３８】
旋回ローラブラケット５４ｂは、収納ローラブラケット５５ｂに回転自在に取り付けられた収納ローラ５５ａと平行に取付けられている。そのため、Ｌ型アーム５１は、旋回ローラ５４ａと収納ローラ５５ａとにより回転自在となり、Ｌ型アーム５１を使用しないときには水平アーム５１ａを収納棚部７４のある後方に収納することができる。
【００３９】
収納ローラブラケット５５ｂは、駆動モータ６１により回動するワイヤ巻取ローラ６２に掛けられたワイヤ６３に吊下げられ、支柱７１に設置されたスライダユニット６５に沿って垂直方向にスライド可能となっている。そのため、Ｌ型アーム５１に吊下げられたフック切断機１は、駆動モータ６１の駆動により支柱７１に沿って垂直方向に移動することができる。
【００４０】
拡大図（ａ）にスライダユニット６５の構成を示し、ガイドレール６５ａにスライド自在に設けられたスライダ６５ｂに収納ローラブラケット５５ｂが取付けられている。
【００４１】
支柱７１は、ローラ７３が取付けられ床に沿って移動可能の台車部７２に固定されており、Ｌ型アーム５１に吊下げられたフック切断機１は、床に沿って移動することができる。
【００４２】
以上、切断機移動装置２は、Ｌ型アーム５１に吊下げられたフック切断機１をＬ型アーム５１の水平アーム５１ａの下側に沿って水平にスライド自在に移動させることができ、また、旋回ローラ５４ａによりＬ型アーム５１の回転方向にも移動させることができ、さらに、支柱７１に沿って垂直方向に移動することもでき、Ｌ型アーム５１に吊下げられたフック切断機１を床に沿って移動させ、金型用の鋳物原型に容易にセットすることができる
【図面の簡単な説明】
【００４３】
【図１】本発明の第１の実施の形態のフック切断機の斜視図を示す。
【図２】本発明の第１の実施の形態のフック切断機の正面図を示す。
【図３】本発明の第１の実施の形態のフック切断機の裏面図を示す。
【図４】本発明の第１の実施の形態のフック切断機に使用する切断機移動装置の斜視図を示す。
【図５】金型用の鋳物原型の斜視図を示す。
【符号の説明】
【００４４】
１  フック切断機
２  切断機移動装置
１０  帯鋸ユニット
１１  エンドレスの帯鋸刃
１２  駆動ローラ
１３ａ、１３ｂ  ガイドローラ
２０  回動駆動機構
２２  電磁式のマグネット
２３ａ、２３ｂ、２３ｃ  取付板
２４ａ、２４ｂ  シャフト
２５ａ  高さ調整シャフト
３０  吊下機構
３１  Ｕ字型の吊下帯状部
３２  吊部
３３  連結部
５１  Ｌ型アーム
５１ａ  水平アーム
５１ｂ  垂直アーム
５４ａ  旋回ローラ
５５ａ  収納ローラ
５６  吊下フック
６２  ワイヤ巻取ローラ
７２  台車部
８０  金型用の鋳物原型
８１  移動用のフック
【図１】
2010089224.tif 000003
【図２】
2010089224.tif 000004
【図３】
2010089224.tif 000005
【図４】
2010089224.tif 000006
【図５】
2010089224.tif 000007